(57)【特許請求の範囲】
【請求項１】
携帯用電源バッグであって、
左右一対の肩ベルトを備えたバックプレートの前面にクッション部が設けられ、リチウムイオン電池を用いた充電式電動工具用のバッテリーパックと、そのバッテリーパックが着脱可能に電気的接続される装着ユニットとが収容される一方、
前記クッション部が所定の間隔をおいて複数設けられて、
前記肩ベルトは、正面視で上側が左右外側へ膨らみ、下側が左右内側へ膨らむ左右鏡面対称のＳ字状に形成されると共に、各前記肩ベルトは、上端が前記バックプレートの上辺外寄りにそれぞれ繋がれ、下端が前記上端と同じ側の側辺下側にそれぞれ繋がれることを特徴とする携帯用電源バッグ。
【請求項２】
携帯用電源バッグであって、
左右一対の肩ベルトを備えたバックプレートの前面にクッション部が設けられ、リチウムイオン電池を用いた充電式電動工具用のバッテリーパックと、そのバッテリーパックが着脱可能に電気的接続される装着ユニットとが収容される一方、
前記クッション部が所定の間隔をおいて複数設けられて、
前記バックプレートの前面下部に、前記バックプレートから先端部へ向かってテーパ状に幅が小さくなる左右方向の腰ベルトが設けられることを特徴とする携帯用電源バッグ。
【請求項３】
前記クッション部を上下方向に配列したことを特徴とする請求項１又は２に記載の携帯用電源バッグ。
【請求項４】
前記クッション部を左右対称に配列したことを特徴とする請求項１乃至３の何れかに記載の携帯用電源バッグ。
【請求項５】
前記バックプレートの前面下部に、左右方向の腰ベルトを、その中央部の少なくとも上下何れか一方の端部のみを前記バックプレートと連結させて設けたことを特徴とする請求項１に記載の携帯用電源バッグ。
【発明の詳細な説明】
【技術分野】
【０００１】
本発明は、剪定バサミや生垣バリカン等の充電式電動工具の電源として利用する携帯用電源バッグに関する。
【背景技術】
【０００２】
剪定バサミや生垣バリカン等の充電式電動工具においては、作業者の負担を軽減して操作性を良好とするために、電源となるバッテリーパックを工具本体と別体にして作業者が携帯可能とし、バッテリーパックと電動工具とを中継コードで接続して電源を得る形態が知られている。例えば特許文献１には、複数のニッケル−カドミウム電池を直列接続する組電池を収容したケースの上部に、制御回路を収容した第二ケースを着脱可能に結合すると共に、各ケースの端縁部にベルトの通し穴を形成して、通し穴の選択によって腰での携帯や背中での携帯を可能としたバッテリーパックが開示されている。また、特許文献２にも、内部に複数の蓄電池を備えたケースにショルダーバンドを結合して背中での携帯を可能とした携帯用電源が開示されている。
【先行技術文献】
【特許文献】
【０００３】
【特許文献１】特開２０００−１６４１８２号公報
【特許文献２】実開平４−１０１３５７号公報
【発明の概要】
【発明が解決しようとする課題】
【０００４】
しかし、上記従来のバッテリーパックや携帯用電源は、何れもハードケースで形成されているため、携帯した際の体へのフィット感が不十分で、長時間の使用の際には使用感が悪くなるおそれがある。
ところで、二次電池としては、従来のニッケル−カドミウム電池等に代わり、同じ容量で小型且つ軽量化でき、さらにはメモリー効果が小さく自己放電特性も良好なリチウムイオン電池が普及している。しかし、充電式電動工具においてはリチウムイオン電池を工具本体に直接装着するバッテリーパックとして使用する形態が一般的で、別体の携帯用電源としては用いられていない。従って、充電式電動工具でも小型で軽量のリチウムイオン電池を携帯用電源として利用できれば作業性の向上に繋がる。
【０００５】
そこで、本発明は、携帯の際のフィット感が良好となって使用感に優れ、而もリチウムイオン電池を充電式電動工具の携帯用電源として好適に利用できる携帯用電源バッグを提供することを目的としたものである。
【課題を解決するための手段】
【０００６】
上記目的を達成するために、請求項１に記載の発明は、携帯用電源バッグであって、左右一対の肩ベルトを備えたバックプレートの前面にクッション部が設けられ、リチウムイオン電池を用いた充電式電動工具用のバッテリーパックと、そのバッテリーパックが着脱可能に電気的接続される装着ユニットとが収容される一方、クッション部が所定の間隔をおいて複数設けられて、肩ベルトは、正面視で上側が左右外側へ膨らみ、下側が左右内側へ膨らむ左右鏡面対称のＳ字状に形成されると共に、各肩ベルトは、上端がバックプレートの上辺外寄りにそれぞれ繋がれ、下端が当該上端と同じ側の側辺下側にそれぞれ繋がれることを特徴とするものである。
上記目的を達成するために、請求項２に記載の発明は、携帯用電源バッグであって、左右一対の肩ベルトを備えたバックプレートの前面にクッション部が設けられ、リチウムイオン電池を用いた充電式電動工具用のバッテリーパックと、そのバッテリーパックが着脱可能に電気的接続される装着ユニットとが収容される一方、クッション部が所定の間隔をおいて複数設けられて、バックプレートの前面下部に、バックプレートから先端部へ向かってテーパ状に幅が小さくなる左右方向の腰ベルトが設けられることを特徴とするものである。
請求項３に記載の発明は、請求項１又は２の構成において、クッション部を上下方向に配列したことを特徴とするものである。
請求項４に記載の発明は、請求項１乃至３の何れかの構成において、クッション部を左右対称に配列したことを特徴とするものである。
請求項５に記載の発明は、請求項１の構成において、バックプレートの前面下部に、左右方向の腰ベルトを、その中央部の少なくとも上下何れか一方の端部のみをバックプレートと連結させて設けたことを特徴とするものである。
【発明の効果】
【０００７】
請求項１及び２に記載の発明によれば、バックプレートがあっても携帯の際のフィット感が良好となり、バッテリーパック等の重量による作業者への負荷が軽減されて使用感に優れる。また、リチウムイオン電池を用いた既存のバッテリーパックを充電式電動工具の携帯用電源として好適に利用できる。
さらに、クッション部を所定の間隔をおいて複数設けているので、バックプレートと背中との間での通気性が確保される。
特に、請求項１に記載の発明によれば、上記効果に加えて、肩ベルトを左右鏡面対称のＳ字状に形成したことで、肩ベルトが作業者の肩にフィットしてずれにくくなる。
請求項３に記載の発明によれば、請求項１又は２の効果に加えて、クッション部を上下方向に配列しているので、背中に沿ってクッション部が当接して使用感がより良好となる。
請求項４に記載の発明によれば、請求項１乃至３の何れかの効果に加えて、クッション部を左右対称に配列しているので、クッション部が背中の左右にバランス良く当接して携帯した際の安定性が高まる。また、背骨を避けてクッション部が当接する格好となるので、フィット感はより良好となる。
請求項５に記載の発明によれば、請求項１の効果に加えて、腰ベルトの部分でもバックプレートとの間で通気性が得られると共に、フィット感の向上も期待できる。
【図面の簡単な説明】
【０００８】
【図１】携帯用電源バッグの正面図である。
【図２】携帯用電源バッグの側面図である。
【図３】バッテリーパックの斜視図である。
【図４】携帯用電源バッグを携帯した状態の説明図である。
【図５】腰ベルト部分の説明図である。
【図６】ホルスタ部分の説明図である。
【発明を実施するための形態】
【０００９】
以下、本発明の実施の形態を図面に基づいて説明する。
図１、２に、携帯用電源バッグ（以下単に「電源バッグ」という。）の一例を示す。この電源バッグ１は、キャンバス生地やナイロン生地等を用いた布製である。まず電源バッグ１は、縦長の矩形状を呈し、内部に芯材となる略同形状の硬質プレートを有するバックプレート２を備え、そのバックプレート２の背面下部に、左右面及び上面に亘って設けられたファスナ４によって後面が開閉可能なバッグ部３が設けられている。また、バックプレート２の上端から左右の側縁下側に掛けて、前面側へ突出する左右一対の肩ベルト５，５が架設されている。この肩ベルト５，５は、正面視で上側が左右外側へ膨らみ、下側が左右内側へ膨らむ左右鏡面対称のＳ字状に形成されている。
【００１０】
６は、バックプレート２の前面下部へ直交状に連結された腰ベルトで、この腰ベルト６は、中央部における幅方向の上下端（図１のＰ１，Ｐ２位置）のみが、左右方向の所定長さの縫製によってバックプレート２と固定されている。腰ベルト６は、通気性のよいメッシュ構造で、その両端には、雄部材７と雌部材８とによって互いに結合可能なバックルが設けられている。
また、バックプレート２の前面で腰ベルト６の上方には、正面視が長円状となる４つのクッション部９，９・・が、左右及び上下に所定の間隔をおいて左右対称に配置されている。このクッション部９は、内部にウレタン等の弾性材が充填されて前後方向に弾性を備えている。
【００１１】
一方、バック部３内には、バッテリーパック１０が収容されている。このバッテリーパック１０は、インパクトドライバやハンマードリル等の充電式電動工具のハウジングに直接装着して使用される市販品で、図３に示すように、複数のリチウムイオン電池を収容した四角箱状のパック本体１１の上面に、充電式電動工具への装着部１２が形成されている。この装着部１２は、長手方向の側辺に沿って形成した一対のレール１３，１３の間に、図示しない正負の端子を備えたもので、充電式電動工具のハウジングに設けられた一対のガイドレール間にレール１３，１３を嵌合させてスライドさせることで、ハウジングへの装着と同時に正負の端子がガイドレール間に設けた正負の端子板と電気的接続する構造となっている。
【００１２】
よって、バッグ部３内にも、充電式電動工具のハウジングと同じ形態でガイドレール及び端子板を備えた装着ユニット１４が設けられて、バッテリーパック１０がスライド装着されている。
１５は、装着ユニット１４の端子板と図示しないリード線によって電気的接続されるコントローラで、側面にバッテリーパック１０からの電源を出力可能な出力端子１６を備えると共に、図示しないスイッチが設けられて、スイッチの操作により、装着ユニット１４を介して接続されたバッテリーパック１０から出力端子１６への電源供給を任意にＯＮ／ＯＦＦ可能としている。
【００１３】
また、バッグ部３内でバッテリーパック１０の上側には、ファスナによって開閉可能なポケット１７が設けられて、ここに予備のバッテリーパック１０が収容されている。
このように、バッグ部３内にはバッテリーパック１０等の電気関係の構成部が収容されることで、バッグ部３のファスナ４には、止水加工が施された防水ファスナが採用されている。
【００１４】
以上の如く構成された電源バック１は、肩ベルト５，５を左右の肩にそれぞれ掛けて背負うと共に、腰ベルト６を腰に回してバックルで固定すれば、図４に示すように作業者が背負うことができる。よって、出力端子１６に中継コード１８を介して充電式電動工具（ここでは剪定バサミ１９を例示している。）を接続してコントローラ１５のスイッチをＯＮすれば、バッテリーパック１０から電源を得て剪定バサミ１９による作業を行うことができる。なお、肩ベルト５，５の前面には、中継コード１８の通し部２０がそれぞれ設けられており、ここに中継コード１８を通すことで、中継コード１８を下方へ垂れさせずに保持することができ、中継コード１８が作業の邪魔にならないようになっている。
【００１５】
また、図５に示すように、携帯時はクッション部９が作業者の背中に当接して弾性変形するので、バックプレート２が作業者の体にフィットしてずれ等が抑制されると共に、重量による負荷も緩和される。
さらに、クッション部９，９の間に形成された上下及び左右方向の隙間と、クッション部９の当接によってバックプレート２と背中との間に生じる隙間とにより、接触面積が小さくなって通気性が保たれるので、背中に熱がこもらずに蒸れも抑えられる。
そして、腰ベルト６を装着した状態では、図５に示すように、上下端のみが固定される腰ベルト６は作業者の腰に沿って湾曲するため、平面形状を維持するバックプレート２との間に隙間Ｓを生じさせる。よって、腰ベルト６の部分でもバックプレート２との間で通気性が得られる。特に、この態様によって腰ベルト６がバックプレート２の平面形状に束縛されず、作業者の体型に合わせて変形しやすくなるため、フィット感の向上にも繋がる。
【００１６】
一方、ここでは腰ベルト６に剪定バサミ１９を収納するホルスタ２１が吊り下げられている。このホルスタ２１は、剪定バサミ１９を刃先を下にして差し込み収納可能な袋状で、上端の開口側に設けた吊り下げバンド２２に腰ベルト６を通すことで吊り下げ支持可能となっている。
また、このホルスタ２１は、開口が真上を向く鉛直姿勢ではなく、吊り下げバンド２２に対して開口が斜め後方を向く傾斜姿勢（好ましくは鉛直方向に対して２０度〜３０度の傾斜）で固定されている。これにより、剪定バサミ１９のような全体がストレート形状の充電式電動工具の抜き差しがしやすくなり、作業を中断する際の一時置き場所として好適に利用できる。
【００１７】
このように、上記形態の電源バッグ１によれば、左右一対の肩ベルト５，５を備えて内部に硬質プレートを有するバックプレート２の背面に、開閉可能なバッグ部３を設ける一方、バックプレート２の前面にクッション部９を設け、バッグ部３に、リチウムイオン電池を用いたバッテリーパック１０と、そのバッテリーパック１０が着脱可能に電気的接続される装着ユニット１４と、その装着ユニット１４と電気的接続され、バッテリーパック１０からの電源の出力端子１６及び出力端子１６からの電源供給をＯＮ／ＯＦＦ可能なスイッチを備えたコントローラ１５とを収容したことで、バックプレート２があっても携帯の際のフィット感が良好となり、バッテリーパック１０等の重量による作業者への負荷が軽減されて使用感に優れる。また、リチウムイオン電池を用いた既存のバッテリーパック１０を剪定バサミ１９のような充電式電動工具の携帯用電源として好適に利用できる。
【００１８】
特にここでは、クッション部９を、所定の間隔をおいて複数設けているので、バックプレート２と背中との間での通気性が確保される。
また、クッション部９を上下方向に配列しているので、背中に沿ってクッション部９が当接して使用感がより良好となる。
さらに、クッション部９を左右対称に配列したことで、クッション部９が左右にバランス良く当接して携帯した際の安定性が高まる。また、背骨を避けてクッション部９が当接する格好となるので、フィット感はより良好となる。
【００１９】
一方、バックプレート２の前面下部に、左右方向の腰ベルト６を、その中央部の上下の端部のみをバックプレート２と連結させて設けているので、腰ベルト６の部分でもバックプレート２との間で通気性が得られると共に、フィット感の向上も期待できる。
また、肩ベルト５，５を、正面視で上側が左右外側へ膨らみ、下側が左右内側へ膨らむ左右鏡面対称のＳ字状に形成したことで、肩ベルト５が作業者の肩にフィットしてずれにくくなる。
【００２０】
なお、クッション部の数や配置は上記形態に限らず、数や列を上下左右で増やしたりして差し支えない。また、クッション部を全て同じ向きや形状とする必要はなく、例えば下側のクッション部を横向きとしたり、下方へ行くほど小さくしたりする変更も考えられる。
さらに、バッグ部の形態も、ファスナの配置の変更が可能であるのは勿論、ファスナに代えてボタンや紐等で開閉可能な蓋体を設けたりしてもよい。勿論バッグ部内でのバッテリーパック等の配置も適宜変更可能で、コントローラに装着ユニットを一体化したり、ポケットを省略したりすることも可能である。加えて、バッグ部内にバッテリーパックやコントローラの収容部ごとに仕切を設けたりしても差し支えない。さらにはコントローラをバッグ部に収容せず、バッグ部の外で腰ベルト等を利用して体の側方で別に携帯させたりすることも可能である。
【００２１】
そして、肩ベルトや腰ベルトの形態も適宜変更できる。特に腰ベルトは、上記形態では中央部の上下端部をバックプレートと連結させているが、上下何れか一方の端部のみをバックプレートと連結させるようにしても、同様に良好な通気性とフィット感とが得られる。
また、ホルスタは作業者の左右何れに吊り下げ支持させてもよいし、左右両方に吊り下げ支持させてもよい。勿論省略することは可能である。
その他、充電式電動工具としては剪定バサミに限らず、生垣バリカンや草刈り機等の園芸用の工具の他、インパクトドライバやハンマードリル等の他の種類の工具であっても本発明の電源バッグは使用可能である。
【符号の説明】
【００２２】
１・・携帯用電源バッグ、２・・バックプレート、３・・バッグ部、４・・ファスナ、５・・肩ベルト、６・・腰ベルト、９・・クッション部、１０・・バッテリーパック、１２・・装着部、１４・・装着ユニット、１５・・コントローラ、１６・・出力端子、１７・・ポケット、１８・・中継コード、１９・・剪定バサミ、２１・・ホルスタ。
【図１】
0005873903.tif 000002
【図２】
0005873903.tif 000003
【図３】
0005873903.tif 000004
【図４】
0005873903.tif 000005
【図５】
0005873903.tif 000006
【図６】
0005873903.tif 000007